(57)【要約】【課題】階段室を備える共同住宅において、階段下スペースを下階居住者用の占有区域として利用可能とする。【解決手段】共同住宅の階段室において、階段５の段板５４の下側に、当該階段５の勾配に沿った傾斜界壁８を形成する。この傾斜界壁８は、階段５の勾配に沿って段板５４の下側に張られた耐火ボード（石膏ボード）５６の下側に沿って位置しており、階段室の周囲に形成した界壁６・６１に接続される。そして、階段室には、傾斜界壁８の下方に形成された下階居住者用スペースＳへの出入りを可能とする開口部９を形成しておく。傾斜界壁８は上下の耐火ボード（石膏ボード）８１の間に断熱材８２を設けた構造である。【選択図】図２
2005220604.tif 000002
【特許請求の範囲】
【請求項１】
階段室を備える共同住宅であって、
階段室において、階段の段板の下側に、当該階段の勾配に沿った傾斜界壁を形成したことを特徴とする共同住宅。
【請求項２】
前記階段の勾配に沿って前記段板の下側に張られた耐火ボードの下側に沿って前記傾斜界壁が位置することを特徴とする請求項１に記載の共同住宅。
【請求項３】
前記階段室の周囲に形成した界壁に前記傾斜界壁が接続されることを特徴とする請求項１または２に記載の共同住宅。
【請求項４】
前記階段室に、前記傾斜界壁の下方に形成された下階居住者用スペースへの出入りを可能とする開口部を形成したことを特徴とする請求項１から３のいずれか一項に記載の共同住宅。
【請求項５】
前記傾斜界壁は上下の耐火ボードの間に断熱材を設けた構造であることを特徴とする請求項１から４のいずれか一項に記載の共同住宅。
【発明の詳細な説明】
【技術分野】
【０００１】
本発明は、階段室を備える共同住宅に関する。
【背景技術】
【０００２】
共同住宅において、世帯間の仕切となる床と壁は耐火・遮音構法による界床と界壁で構成されている（例えば特許文献１参照）。
２階建て共同住宅では階段室が備えられており、その階段室は周りを界壁により囲まれていて上階居住者用の専用区域となっていた。
【特許文献１】特開２０００−１１０３７７号公報
【発明の開示】
【発明が解決しようとする課題】
【０００３】
しかし、周りを界壁により囲まれた階段室の階段下スペースは何も利用されないデッドスペースとなっていた。
【０００４】
本発明の課題は、階段室を備える共同住宅において、階段下スペースを下階居住者用の占有区域として利用可能とすることである。
【課題を解決するための手段】
【０００５】
以上の課題を解決するため、請求項１に記載の発明は、例えば図１及び図２に示すように、階段室１を備える共同住宅であって、階段室１において、階段５の段板５４の下側に、当該階段５の勾配に沿った傾斜界壁８を形成したことを特徴とする。
【０００６】
このように、共同住宅の階段室において、階段の段板の下側に、当該階段の勾配に沿った傾斜界壁を形成することで、階段下スペースを傾斜界壁により仕切って下階居住者用の占有区域としての利用が可能になる。
【０００７】
請求項２に記載の発明は、請求項１に記載の共同住宅であって、例えば図２に示すように、前記階段５の勾配に沿って前記段板５４の下側に張られた耐火ボード（石膏ボード）５６の下側に沿って前記傾斜界壁８が位置することを特徴とする。
【０００８】
このように、階段の勾配に沿って段板の下側に張られた耐火ボードの下側に沿って傾斜界壁を位置させることで、耐火・遮音性が高められる。
【０００９】
請求項３に記載の発明は、請求項１または２に記載の共同住宅であって、例えば図２に示すように、前記階段室１の周囲に形成した界壁６・６１に前記傾斜界壁８が接続されることを特徴とする。
【００１０】
このように、階段室周囲の界壁に傾斜界壁を接続することで、階段下スペースを耐火・遮音上区画できる。
【００１１】
請求項４に記載の発明は、請求項１から３のいずれか一項に記載の共同住宅であって、例えば図１及び図２に示すように、前記階段室１に、前記傾斜界壁８の下方に形成された下階居住者用スペースＳへの出入りを可能とする開口部９を形成したことを特徴とする。
【００１２】
このように、階段室に、傾斜界壁の下方に形成された下階居住者用スペースへの出入りを可能とする開口部を形成することで、階段下スペースに下階居住者が出入りできる。
【００１３】
請求項５に記載の発明は、請求項１から４のいずれか一項に記載の共同住宅であって、例えば図２に示すように、前記傾斜界壁８は上下の耐火ボード（石膏ボード）８１の間に断熱材８２を設けた構造であることを特徴とする。
【発明の効果】
【００１４】
請求項１に記載の発明によれば、共同住宅の階段室の階段下スペースを傾斜界壁により仕切って下階居住者用の占有区域として利用できる。
【００１５】
請求項２に記載の発明によれば、請求項１に記載の発明により得られる効果に加え、階段の段板下側に張られた耐火ボードの下側に沿って傾斜界壁を位置させることによって、耐火・遮音性が高められるといった利点が得られる。
【００１６】
請求項３に記載の発明によれば、請求項１または２に記載の発明により得られる効果に加え、階段室周囲の界壁に傾斜界壁を接続することによって、階段下スペースを耐火・遮音上区画できるといった利点が得られる。
【００１７】
請求項４に記載の発明によれば、請求項１から３のいずれか一項に記載の発明により得られる効果に加え、階段室に、傾斜界壁下方の下階居住者用スペースへの出入りを可能とする開口部を形成することによって、階段下スペースに下階居住者が出入りできるといった利点が得られる。
【発明を実施するための最良の形態】
【００１８】
以下、図を参照して本発明を実施するための最良の形態を詳細に説明する。
本発明を適用した一実施形態の構成を示す図１及び図２において、１は共同住宅の階段室、２はアプローチ、３は玄関、４は床、５は階段、６は界壁、７は界床、８は傾斜界壁、９は開口部である。
階段室１は、図示例ではアプローチ２、玄関３、床４及び階段５を備えて周囲が界壁６により構成されている。
【００１９】
実施形態において、階段５は、折返し階段で下部階段５１、踊り場５２及び上部階段５３からなり、上部階段５３の上端が界床７に接続されている。
そして、階段５の段板５４の下側には、当該階段５の勾配に沿って傾斜界壁８が形成されている。図２は上部階段５３の下側に形成した傾斜界壁８を示したもので、図示しないが、下部階段５１の下側にも同様の傾斜界壁８が形成されている。
【００２０】
傾斜界壁８は、耐火ボードである上下の石膏ボード８１の間に断熱材８２を設けた構造のもので、図中、８３は胴縁である。この傾斜界壁８は、階段５の下に形成した上下の合板５５の間に石膏ボード５６の下方に位置する重ね建て仕様となっていて、階段室１の周囲の界壁６に接続されている。
そして、上部階段５３下の傾斜界壁８の上端を、界床７に沿って設けた上部界壁６１に接続して、その上部界壁６１の下方を開口部９としておく。
なお、踊り場５２は、図示しないが、界床としておき、その界床による踊り場５２に、下部階段５１下の傾斜界壁８の上端と上部階段５３下の傾斜界壁８の下端をそれぞれ接続する。
【００２１】
以上の傾斜界壁８と踊り場５２の界床により、階段５下には下階居住者用スペースＳ、例えば物入れスペースＳが形成される。この物入れスペースＳには、開口部９により下階居住者が出入り可能であり、その開口部９には、例えば図１に示すような開閉扉等を設けておく。
このように、共同住宅の階段室１の階段５下を傾斜界壁８により仕切って下階居住者用の占有区域として有効利用できる。
また、階段５下の合板５５及び石膏ボード５６の下方に傾斜界壁８が位置する重ね建て仕様によって、耐火・遮音性が高められている。
【００２２】
なお、以上の実施形態においては、傾斜界壁下方の下階居住者用スペースとして物入れスペースとしたが、本発明はこれに限定されるものではなく、トイレを設ける等、必要に応じ有効活用すれば良い。
また、実施形態では、折返し階段としたが、直階段や折曲がり階段等であっても良く、その他、具体的な細部構造等についても適宜に変更可能であることは勿論である。
【図面の簡単な説明】
【００２３】
【図１】本発明を適用した一実施形態の構成を示すもので、階段室部分の概略平面図である。
【図２】図１の階段上部の縦断側面図である。
【符号の説明】
【００２４】
１  共同住宅の階段室
５  階段
５４  段板
５６  耐火ボード
６・６１  界壁
７  界床
８  傾斜界壁
８１  耐火ボード
８２  断熱材
９  開口部
Ｓ  下階居住者用スペース
【図１】
2005220604.tif 000003
【図２】
2005220604.tif 000004